【手続補正書】
【提出日】平成18年5月30日(2006.5.30)
【手続補正１】
【補正対象書類名】明細書
【補正対象項目名】発明の名称
【補正方法】変更
【補正の内容】
【発明の名称】情報処理装置、情報処理システム、データ送信方法、データ送信プログラム及びデータ送信プログラムを記録した記録媒体
【手続補正２】
【補正対象書類名】明細書
【補正対象項目名】特許請求の範囲
【補正方法】変更
【補正の内容】
【特許請求の範囲】
【請求項１】  アプリケーションソフトで扱うデータを記憶する記憶手段と、
前記記憶手段で記憶されたデータをイメージデータに変換する変換手段と、
前記変換手段で変換されたイメージデータを他の情報機器への送信を指示する指示手段と、
前記指示手段の指示により、変換されたイメージデータを他の情報機器に送信する送信手段とを備えたことを特徴とする情報処理装置。
【請求項２】  前記イメージデータを送信する送信先を他の情報機器の名称に設定する設定手段を備えることを特徴とする請求項１記載の情報処理装置。
【請求項３】  前記変換手段は、設定されたイメージデータのサイズ、および、縦長あるいは横長の方向に基づき、イメージデータを作成することを特徴とする請求項１に記載の情報処理装置。
【請求項４】  前記他の情報機器の表示能力の情報を受信する受信手段をさらに備え、
前記変換手段は、前記受信手段で受信した表示能力の情報に基づいて、イメージデータを作成することを特徴とする請求項１に記載の情報処理装置。
【請求項５】  前記変換手段は、前記他の情報機器の表示画面サイズに合うように回転させてイメージデータを作成することを特徴とする請求項４に記載の情報処理装置。
【請求項６】  前記変換手段は、圧縮させてイメージデータを作成することを特徴とする請求項１ないし請求項５のいずれかに記載の情報処理装置。
【請求項７】  アプリケーションソフトで扱うデータを記憶する工程と、
記憶されたアプリケーションデータをイメージデータに変換する工程と、
変換されたイメージデータを他の情報機器への送信を指示する工程と、
イメージデータの送信が指示されると、イメージデータを他の情報機器に送信する工程とを含むことを特徴とするデータ送信方法。
【請求項８】  アプリケーションソフトで扱うデータを記憶するステップと、
記憶されたデータをイメージデータに変換するステップと、
変換されたイメージデータを他の情報機器への送信を指示するステップと、
イメージデータの送信が指示されると、
イメージデータを他の情報機器に送信するステップとをコンピュータに実行させることを特徴とするデータ送信プログラム。
【請求項９】  請求項８に記載のデータ送信プログラムを記録したコンピュータ読み取り可能な記録媒体。
【請求項１０】  画像データを表示する第１の情報機器と、画像データを受信して表示することができる第２の情報機器とでデータを送信する情報処理システムにおいて、
前記第１の情報機器は、
該機器内でのアプリケーションソフトで扱われたデータをイメージデータに変換する変換手段と、
前記変換手段で変換されたイメージデータを前記第２の情報機器に送信する送信手段とを備えており、
前記第２の情報機器は、
前記第１の情報機器から送信されてきたイメージデータを受信する受信手段を備えており、
前記第２の情報機器において受信したイメージデータを表示することを特徴とする情報処理システム。
【手続補正３】
【補正対象書類名】明細書
【補正対象項目名】０００１
【補正方法】変更
【補正の内容】
【０００１】
【発明の属する技術分野】
本発明は、画像データを表示する情報処理装置である第１の情報機器、及びこの第１の情報機器と、画像データを受信して表示することができる第２の情報機器とでデータを送信する情報処理システム、データ送信方法、データ送信プログラム及びデータ送信プログラムを記録した記録媒体に関する。
【手続補正４】
【補正対象書類名】明細書
【補正対象項目名】００１１
【補正方法】変更
【補正の内容】
【００１１】
本発明は係る問題点を解決すべく創案されたもので、その目的は、簡単な操作で複数ページのデータや、画面をスクロールさせないと見えないような画像データを確実に送信することのできる情報処理装置、情報処理システム、データ送信方法、データ送信プログラム及びデータ送信プログラムを記録した記録媒体を提供することにある。
【手続補正５】
【補正対象書類名】明細書
【補正対象項目名】００１２
【補正方法】変更
【補正の内容】
【００１２】
【課題を解決するための手段】
本発明の情報処理装置は、アプリケーションソフトで扱うデータを記憶する記憶手段と、前記記憶手段で記憶されたデータをイメージデータに変換する変換手段と、前記変換手段で変換されたイメージデータを他の情報機器への送信を指示する指示手段と、前記指示手段の指示により、変換されたイメージデータを他の情報機器に送信（転送）する送信（転送）手段とを備えたことを特徴としている。また、本発明の情報処理システムは、画像データを表示する前記情報処理装置である第１の情報機器と、画像データを受信して表示することができる前記他の情報機器である第２の情報機器とでデータを送信する情報処理システムにおいて、前記第２の情報機器は、前記第１の情報機器から送信されてきたイメージデータを受信する受信手段を備えており、この第２の情報機器において受信したイメージデータを表示することを特徴としている。
【手続補正６】
【補正対象書類名】明細書
【補正対象項目名】００１３
【補正方法】変更
【補正の内容】
【００１３】
このような特徴を有する本発明によれば、アプリケーションの印刷ドライバとしてイメージデータを通信により第２の情報機器に転送するようにすることで、複数ページのデータや、画面をスクロールさせないと見えないような画像データを、簡単な操作で確実に送信することができる。
【手続補正７】
【補正対象書類名】明細書
【補正対象項目名】００１４
【補正方法】変更
【補正の内容】
【００１４】
この場合、送信する方法としては、ファイル送信でイメージデータを送信する方法や、第１の情報機器と第２の情報機器の記憶装置を互いに疑似記憶装置として認識した上でイメージデータを送信する方法などが考えられる。第１の情報機器と第２の情報機器の記憶装置を互いに疑似記憶装置として認識した上でイメージデータを送信する場合、第２の情報機器を第１の情報機器の１つのドライブ（例えば、Ｄドライブ等）として表示し、このＤドライブを選択することで、第２の情報機器にイメージデータを送信（コピー）することが可能となる。あるいは、第１の情報機器を第２の情報機器の１つのドライブとして表示することも同様に考えられる。
【手続補正８】
【補正対象書類名】明細書
【補正対象項目名】００１５
【補正方法】変更
【補正の内容】
【００１５】
また、前記第１の情報機器は、前記イメージデータの作成時に、前記第２の情報機器の表示装置の表示形式に合った色補正を行ってから送信するようにしてもよい。すなわち、画像の再生方法は、表示装置の表示形式によって異なっている。例えば、表示装置が第２の情報機器であるＰＤＡに搭載されている反射型液晶の場合、反射率や液晶のベース色の関係で、ＰＤＡで表示されたときに綺麗な色となるように、イメージデータの作成時に色補正を行う。また、ＰＤＡを介してプロジェクタに出力する場合には、プロジェクタに使われている液晶の透過光の色特性に合わせて、同様に補正を行う。これにより、表示装置の表示形式（構造）に合わせた最適な色でイメージデータを表示することが可能となる。
【手続補正９】
【補正対象書類名】明細書
【補正対象項目名】００１６
【補正方法】変更
【補正の内容】
【００１６】
また、前記第１の情報機器は、前記イメージデータの作成時に、減色や白黒変換を行ってファイルサイズを減らしてから送信してもよい。例えば、表示装置の表示色が２５６色である場合には、作成するイメージデータも２５６色で作成する。また、イメージデータが、通常の文書によるプレゼンテーションであった場合には、カラーから白黒に変換しても、見易さといった点ではほとんど変わらないので、このような場合には、イメージデータを色黒に変換して作成する。このようにファイルサイズを減らすことによって、データ送信が高速となり、また、第２の情報機器においても扱い易いデータ量となる。
【手続補正１０】
【補正対象書類名】明細書
【補正対象項目名】００１７
【補正方法】変更
【補正の内容】
【００１７】
また、前記第１の情報機器は、前記イメージデータの作成時に、前記第２の情報機器で表示し易い画面サイズに統一して送信してもよい。第２の情報機器が携帯情報端末であるＰＤＡの場合、表示画面のサイズは自ずと制限される。そして、このように画面サイズが制限されるＰＤＡに、１ページの容量の大きいイメージデータを送信すると、画面を何度もスクロールしないとそのページ全体を見ることができないといった不具合が生じる。従って、ＰＤＡで表示し易い画面サイズ（ディスプレイ系の規格である、例えばＶＧＡサイズ）に統一することで、送信されてくるイメージデータの各ページの画像サイズに影響されることなく、ＰＤＡ上に見易い画面を表示することができる。
【手続補正１１】
【補正対象書類名】明細書
【補正対象項目名】００１８
【補正方法】変更
【補正の内容】
【００１８】
また、前記第１の情報機器は、前記イメージデータの作成時に、前記第２の情報機器で扱う画像サイズに合わせてイメージデータを作成し送信してもよい。すなわち、イメージデータを作成する際に、通常の紙サイズ（Ａ４，Ｂ４，Ａ５，Ｂ５，はがき、など）に従ってイメージデータを作成するのではなく、ＰＤＡで扱う画像サイズに合わせて、ＶＧＡ、ＳＶＧＡ、ＸＶＧＡなどのサイズで画面イメージデータを作成する。これにより、ＰＤＡの表示サイズに適した表示が可能となる。
【手続補正１２】
【補正対象書類名】明細書
【補正対象項目名】００１９
【補正方法】変更
【補正の内容】
【００１９】
また、前記第２の情報機器は、前記第１の情報機器との接続通信時に自機の表示能力の情報を前記第１の情報機器に送信し、前記第１の情報機器は、前記第２の情報機器から受信した表示能力の情報に基づいて、作成するイメージデータの画像サイズを決定するようにしてもよい。ここで、表示能力の情報としては、画面サイズ、ドットピッチ、色の深さ、リフレッシュレート、色特性などがある。イメージデータを作成する前に、このような第２の情報機器の表示能力を予め送信することにより、ユーザが画像サイズを設定するといった面倒な操作を行わなくても、第２の情報機器の表示サイズに適したサイズのイメージデータを自動的に作成することが可能となる。
【手続補正１３】
【補正対象書類名】明細書
【補正対象項目名】００２０
【補正方法】変更
【補正の内容】
【００２０】
また、前記第１の情報機器は、前記イメージデータの作成時に、予め設定された用紙に対する印字方向に基づき、前記第２の情報機器の表示画面に合うように印刷イメージを回転させてデータをファイル化するようにしてもよい。ユーザによっては、Ａ４縦、Ｂ４縦、といった縦長のデータ（文書など）は、第２の情報機器でも表示画面を縦長に使用して表示し、Ａ４横、Ｂ４横といった横長のデータ（表やグラフなど）は、第２の情報機器でも表示画面を横長に使用して表示したいという要望がある。そこで、本発明では、例えば縦長のデータについては、表示画面を縦長に使用して表示するようにイメージデータを作成し、横長のデータについては、表示画面を横長に使用して表示できるように印刷イメージを９０度回転させてデータを作成して送信する。これにより、第２の情報機器では、例えば文書等の縦長データは表示画面の縦長方向に表示され、表やグラフ等の横長データは表示画面の横長方向に表示される。
【手続補正１４】
【補正対象書類名】明細書
【補正対象項目名】００２１
【補正方法】変更
【補正の内容】
【００２１】
また、以上のような場合、前記第１の情報機器は、前記イメージデータを、例えばＪＰＥＧや、ＰＮＧ、ＧＩＦ等に圧縮して送信してもよい。
【手続補正１５】
【補正対象書類名】明細書
【補正対象項目名】００２２
【補正方法】変更
【補正の内容】
【００２２】
なお、上記構成の情報処理システムは、第１の情報機器と第２の情報機器との間でデータを送信するデータ送信方法として実現することができる。
【手続補正１６】
【補正対象書類名】明細書
【補正対象項目名】００２３
【補正方法】変更
【補正の内容】
【００２３】
すなわち、本発明のデータ送信方法は、アプリケーションソフトで扱うデータを記憶する工程と、記憶されたアプリケーションデータをイメージデータに変換する工程と、変換されたイメージデータを他の情報機器への送信を指示する工程と、イメージデータの送信が指示されると、イメージデータを他の情報機器に送信する工程とを含むことを特徴としている。
【手続補正１７】
【補正対象書類名】明細書
【補正対象項目名】００２４
【補正方法】変更
【補正の内容】
【００２４】
また、前記イメージデータの変換工程は、イメージデータを圧縮する工程を含んでいてもよいし、イメージデータの作成時に前記第２の情報機器の表示装置の表示形式に合った色補正を行う工程を含んでいてもよいし、イメージデータの作成時に減色や白黒変換を行ってファイルサイズを減らす工程を含んでいてもよい。さらに、前記イメージデータの作成工程は、イメージデータの作成時に前記第２の情報機器で表示し易い画像サイズに統一する工程を含んでいてもよいし、イメージデータの作成時に前記第２の情報機器の画像サイズに合わせてイメージデータを作成する工程を含んでいてもよい。
【手続補正１８】
【補正対象書類名】明細書
【補正対象項目名】００２５
【補正方法】変更
【補正の内容】
【００２５】
また、前記第２の情報機器と前記第１の情報機器との接続通信時に、第２の情報機器から前記第１の情報機器に対して自機の表示能力の情報を送信する工程を含み、前記イメージデータの変換工程は、前記第２の情報機器から受信した表示能力の情報に基づいて、作成するイメージデータの画像サイズを決定する工程を含んでいてもよい。
【手続補正１９】
【補正対象書類名】明細書
【補正対象項目名】００２６
【補正方法】変更
【補正の内容】
【００２６】
さらにまた、前記イメージデータの変換工程は、イメージデータの作成時に、予め設定された用紙に対する印字方向に基づき、前記第２の情報機器の表示画面に合うようにイメージを回転させてデータをファイル化する工程を含んでいてもよい。
【手続補正２０】
【補正対象書類名】明細書
【補正対象項目名】００２７
【補正方法】変更
【補正の内容】
【００２７】
また、上記のデータ送信方法は、この方法を実現するためのデータ送信プログラムとして提供することができ、また、このデータ送信プログラムを格納した記録媒体として提供することもできる。
【手続補正２１】
【補正対象書類名】明細書
【補正対象項目名】００２９
【補正方法】変更
【補正の内容】
【００２９】
図１は、本発明に係わるデータ送信方法を実現するための情報処理システムの実施形態を示しており、第１の情報機器であるパソコンから第２の情報機器であるＰＤＡにアプリケーションのイメージデータを送信するシステム構成を概略的に示した機能ブロック図である。
【手続補正２２】
【補正対象書類名】明細書
【補正対象項目名】００３７
【補正方法】変更
【補正の内容】
【００３７】
この操作を受けて、Ｗｉｎｄｏｗｓは、要求された範囲の印刷イメージデータをＰＤＡ送信用印刷ドライバに渡す（ステップＳ３）。ＰＤＡ送信用印刷ドライバは、受け取ったデータを、ＰＤＡで保存するための画像形式（ＪＰＥＧ（ＪｏｉｎｔＰｈｏｔｏｇｒａｐｈｉｃ Ｅｘｐｅｒｔｓ Ｇｒｏｕｐ ）やＤＩＢ（Ｄｅｖｉｃｅ Ｉｎｄｅｐｅｎｄｅｎｔ Ｂｉｔｍａｐ）など）に変換し（ステップＳ４）、これをＰＤＡに送信する（ステップＳ５）。送信する方法としては、ファイル送信で印刷イメージデータを送信する方法や、ネットワークドライブで印刷イメージデータを送信（コピー）する方法などが考えられる。
【手続補正２３】
【補正対象書類名】明細書
【補正対象項目名】００４６
【補正方法】変更
【補正の内容】
【００４６】
なお、ネットワークドライブとして送信（コピー）するのではなく、例えばＪＰＥＧファイルとして送信する場合には、ステップＳ１２において印刷イメージデータを取り込んだ後、一旦パソコンの記憶装置４に保存する。そして、ＰＤＡとの接続状態を確認し、ＰＤＡがパソコンに接続されている場合には、保存しておいた印刷イメージデータを、ＪＰＥＧファイルとしてＰＤＡに送信する。また、ＪＰＥＧの場合には、Ｅｘｉｆ形式にてサムネイルなどの情報を埋め込んでおくと、ＰＤＡ側で、印刷イメージデータの全ページのサムネイル画像を見ることができる。
【手続補正２４】
【補正対象書類名】明細書
【補正対象項目名】００４９
【補正方法】変更
【補正の内容】
【００４９】
なお、上記の処理では、取得した印刷イメージデータをそのままＰＤＡに送信しているが、ＰＤＡ側の表示装置の表示形式によっては、表示の見え方が異なる場合がある。そのため、印刷イメージデータの作成時に、ＰＤＡ側の表示装置の表示形式に合った色補正を行ってから送信するようにしてもよい。
【手続補正２５】
【補正対象書類名】明細書
【補正対象項目名】００５２
【補正方法】変更
【補正の内容】
【００５２】
また、印刷イメージデータのデータ量が多い場合などには、減色や白黒変換を行ってファイルサイズを減らしてから送信してもよい。
【手続補正２６】
【補正対象書類名】明細書
【補正対象項目名】００５３
【補正方法】変更
【補正の内容】
【００５３】
例えば、表示装置９の表示色が２５６色である場合には、作成する印刷イメージデータもフルカラーではなく２５６色で作成する。また、印刷イメージデータが、通常の文書によるプレゼンテーションであった場合には、カラーから白黒に変換しても、見易さという点ではほとんど変わらないので、このような場合には、印刷イメージデータを白黒に変換して作成する。このようにファイルサイズを減らすことによって、データ送信が高速となり、また、ＰＤＡにおいても扱い易いデータ量となる。
【手続補正２７】
【補正対象書類名】明細書
【補正対象項目名】００５４
【補正方法】変更
【補正の内容】
【００５４】
また、印刷イメージデータの作成時に、ＰＤＡ側で表示し易い画面サイズに統一して送信してもよい。
【手続補正２８】
【補正対象書類名】明細書
【補正対象項目名】００５５
【補正方法】変更
【補正の内容】
【００５５】
第２の情報機器がＰＤＡの場合、表示画面のサイズは自ずと制限される。そして、このように画面サイズが制限されるＰＤＡに、１ページの容量の大きい印刷イメージデータをそのまま送信すると、画面を何度もスクロールしないとそのページ全体を見ることができないといった不具合が生じる。従って、ＰＤＡで表示し易い画面サイズ（ディスプレイ系の規格である、例えばＶＧＡサイズ）に統一することで、送信されてくる印刷イメージデータの各ページの画像サイズに影響されることなく、ＰＤＡ上に見易い画面を表示することができる。図１０は、この例を示している。同図（ａ）は印刷イメージデータが縦長サイズの例であり、同図（ｂ）は印刷イメージデータが横長サイズの例である。ＰＤＡに送信するときには、同図（ｃ）、（ｄ）に示すように、これらの印刷イメージデータをいずれも同一サイズ（例えば、ＶＧＡ（６４０×４８０））に統一して送信する。
【手続補正２９】
【補正対象書類名】明細書
【補正対象項目名】００５６
【補正方法】変更
【補正の内容】
【００５６】
また、印刷イメージデータの作成時に、ＰＤＡの画像サイズに合わせて印刷イメージデータを作成し、送信してもよい。すなわち、印刷イメージデータを作成する際に、通常の紙サイズ（Ａ４，Ｂ４，Ａ５，Ｂ５，はがき、など）に従って印刷イメージデータを作成するのではなく、ＰＤＡやプロジェクタといったディスプレイ系の画像サイズに合わせて、ＶＧＡ、ＳＶＧＡ、ＸＶＧＡなどのサイズで印刷イメージデータを作成する。
【手続補正３０】
【補正対象書類名】明細書
【補正対象項目名】００８１
【補正方法】変更
【補正の内容】
【００８１】
以上説明した情報処理システムは、第１の情報機器であるパソコンと第２の情報機器であるＰＤＡとでデータを送信する処理を機能させるためのプログラムで実現されている。
【手続補正３１】
【補正対象書類名】明細書
【補正対象項目名】００８７
【補正方法】変更
【補正の内容】
【００８７】
【発明の効果】
以上説明したように、本発明によれば、応用データを操作可能なプログラムが応用データを基本データに変換して送信することで、直接応用データを操作する手段を持たない情報機器においても、応用データの取り扱い（操作）が可能となる。
【手続補正３２】
【補正対象書類名】明細書
【補正対象項目名】００８８
【補正方法】変更
【補正の内容】
【００８８】
また、本発明によれば、アプリケーションの印刷ドライバとして印刷イメージデータを通信により第２の情報機器に送信するようにすることで、複数ページのデータや、画面をスクロールさせないと見えないような画像データを、簡単な操作で確実に送信することができる。